(57)【要約】      （修正有）【課題】パネル係止力の確保と解除操作性を良好に行え、過大な外力を受けても係止解除不能にする。【解決手段】基板２及び係合脚部３を備え、パネル取付孔１０ａに対し係合脚部３を挿入係合して該パネルに係止され、該係止を係合脚部３の端部側を操作して解除する易解体クリップ１である。係合脚部３は、空間部３３及び該空間部の一部を径大にした逃げ部３３ａを有し、上端側が解除操作用ブリッジ部３５を介し基板２に連結され、基板２は、空間部３３内へ遊挿している突起部２５及び逃げ部３３ａと対応して突起部に設けた解除規制用の膨出部分２６を有している。係合脚部３が係止状態からブリッジ部３５の押操作により縮径方向への揺動を伴って係止解除される。抜け方向の過大な外力を受けて変位すると、突起部２５及び膨出部分２６も同方向へ動き、膨出部分２６が逃げ部３３ａより空間部３３へ移行して、係合脚部３の縮径方向への変位を規制する。【選択図】図１
2005083425.tif 000002
【特許請求の範囲】
【請求項１】
基板及び係合脚部を備え、パネルの取付孔に対し前記係合脚部を挿入係合して該パネルに係止され、該係止状態を前記係合脚部の端部側を操作して解除する易解体クリップにおいて、
前記係合脚部は、中抜き状の空間部及び該空間部の一部を径大にした逃げ部を有していると共に、上端側が係止解除操作用のブリッジ部を介して前記基板に連結されており、
前記基板は、前記空間部内へ遊挿している突起部及び前記逃げ部と対応して前記突起部に設けられている係止解除規制用の膨出部分を有していることを特徴とする易解体クリップ。
【請求項２】
基板及び係合脚部を備え、パネルの取付孔に対し前記係合脚部を挿入係合して該パネルに係止され、該係止状態を前記係合脚部の端部側を操作して解除する易解体クリップにおいて、
前記係合脚部は、中抜き状の空間部及び該空間部の一部を径大にした逃げ部と、上端側に連結されて横に延びている係止解除操作用のブリッジ部と、前記ブリッジ部から突出されて前記パネルに圧接する弾性片部とを有し、
前記基板は、物品を支持する保持部と、前記空間部内へ遊挿している突起部及び前記逃げ部と対応して前記突起部に設けられている係止解除規制用の膨出部分とを有していることを特徴とする易解体クリップ。
【請求項３】
請求項１又は２において、前記空間部の逃げ部と前記膨出部分との間の隙間が、前記係止状態において、前記パネルの取付孔に対する前記係合脚部の係合代より大きく設定されていることを特徴とする易解体クリップ。
【請求項４】
請求項１又は２において、前記ブリッジ部に設けられて前記係合脚部を縮径する方向へ前記ブリッジ部を揺動変位可能にするヒンジ部を有していることを特徴とする易解体クリップ。
【発明の詳細な説明】
【技術分野】
【０００１】
本発明は、特に、パネル側の取付孔に対する係合脚部の係止状態を簡単に解除できるようにした易解体クリップに関する。
【背景技術】
【０００２】
クリップ構造としては、例えば、再利用化や分別回収等を考慮して、パネルに対する係止状態を必要時に解除できることが要求され、従来より色々なものが提案されている。図７及び図８はそのような易解体クリップを示している。図７のクリップ５０は、特許文献１に開示のもので、平板状の基板（径大頭部）５１と、基板５１に下設された略コ形の枠部（基部）５２と、枠部５２の両側底面から上向きに突設された対の係合脚部（係止脚片）５３とを備えている。各係合脚部５３は、上に行くほど外側に張り出しており、上端側に係止段部５５を介して突設された操作片部５４を有している。基板５１には、各操作片部５４に対応した切欠部５６が設けられている。以上のクリップ５０は、上パネル５７を下パネル５８に取り付けるようなときに用いられて、上下パネル５７，５８の各取付孔５７ａ，５８ａに対し枠部５２及び係合脚部５３を挿入すると、係止段部５５と基板５１との間に両パネル５７，５８を挟み込んだ状態で係止する。該係止状態は、同（ｂ）のように両側の操作片部５４を指等にて近づけ各係合脚部５３を縮径方向に揺動することで解除される。このため、クリップ５０は、各取付孔５７ａ，５８ａから簡単に引き抜くことができる。
【０００３】
また、図８のクリップ６０は、特許文献２に開示のものであり、平板状の基板６１と、基板６１の両側に設けられた第１係止部６２及び第２係止部６３とからなる。第１係止部６２は、中抜き状の挿入部６４と、該挿入部６４の先端側に連結されて基板６１側へ突出している弾性脚部６５と、弾性脚部６５の上端に係止段部６６を介し連結されて基板６１側に位置して横方向へ延びている操作アーム部６６とを有している。第２係止部６３は錨状であり、挿入部６７の先端両側に連結された対の係合片部６８を有している。以上のクリップ６０は、上パネル６９を下パネル７０に間隔を保って取り付けるようなときに用いられて、例えば、下パネル７０の取付孔７０ａに対し第２係止部６３を挿入係合することで取り付けられる。その後、上パネル６９は、取付孔６９ａに挿入部６４を挿入して基板６１に近づけられると、弾性脚部６５の揺動を伴って係止段差６６で係止される。該係止状態は、同（ｂ）のように操作アーム部６６を矢印方向へ押して弾性脚部６５を縮径方向に揺動することで係止解除される。このため、このクリップ６０では、上パネル６９を簡単に外すことができ、その状態から下パネル７０に対する係止を強制的に解除操作して回収される。
【特許文献１】実開平３−３８４１１号公報
【特許文献２】実開平３−１１４６０４号公報
【発明の開示】
【発明が解決しようとする課題】
【０００４】
上記したクリップ５０，６０は、単一部材からなり、パネルに対する設計上の固定力を維持し、更に係止解除操作できるようにしたものであるが、次のような点から問題を有している。すなわち、従来構造では、係合脚部や弾性脚部が弾性変形を利用しているため、固定力を増大したとしても、基板が取付孔から離れる方向つまり抜け方向に過大な外力を受けると係止解除される虞がある。また、クリップ５０では、操作片部５４を基板５１の切欠部５６に押し込める構成であるため、例えば、切欠部５６が塵等により詰まると解除操作できなくなる。クリップ６０では、第１係止部６２から上パネル６９を外した後、下パネル７０に対する係止状態を簡単に解除できない。
【０００５】
本発明の目的は、以上のような課題を解消して、パネルに対する固定力ないしは係止力の確保と解除操作性を良好に行えることに加え、特に基板が抜け方向の過大な外力を受けても係止解除不能にして信頼性を向上することにある。
【課題を解決するための手段】
【０００６】
請求項１の発明は、基板及び係合脚部を備え、パネルの取付孔に対し前記係合脚部を挿入係合して該パネルに係止され、該係止状態を前記係合脚部の端部側を操作して解除する易解体クリップにおいて、前記係合脚部は、中抜き状の空間部及び該空間部の一部を径大にした逃げ部を有していると共に、上端側が係止解除操作用のブリッジ部を介して前記基板に連結されており、前記基板は、前記空間部内へ遊挿している突起部及び前記逃げ部と対応して前記突起部に設けられている係止解除規制用の膨出部分を有していることを特徴としている。
以上のクリップ構造は、係合脚部が係止状態から、ブリッジ部の押操作により縮径方向への揺動を伴って係止解除されパネル取付孔から外すことを可能にする。同時に、基板が抜け方向の過大な外力を受けて変位すると、中空部内に遊挿されている突起部及び膨出部分も同方向へ動く結果、膨出部分が径大逃げ部より相対的に小さくなった空間部へ移行して、係合脚部の縮径方向への変位を規制し、それにより係止解除不能にする。
【０００７】
請求項２の発明は、上記発明を図１〜図５の例に沿って具体的に特定したもので、前記した前提要件までを同じくし、前記係合脚部は、中抜き状の空間部及び該空間部の一部を径大にした逃げ部と、上端側に連結されて横に延びている係止解除操作用のブリッジ部と、前記ブリッジ部から突出されて前記パネルに圧接する弾性片部とを有し、前記基板は、物品を支持する保持部と、前記空間部内へ遊挿している突起部及び前記逃げ部と対応して前記突起部に設けられている係止解除規制用の膨出部分とを有していることを特徴としている。
以上のクリップ構造は、上記した作動に加えて、弾性片部の存在により係合脚部を相対的に長くして突起部を配置容易にしたり、弾性片部の変位を利用してパネルに対する係合脚部の係止力を安定化し易くする。
【０００８】
請求項３と４は以上の各発明の細部を特定したものである。すなわち、請求項３では、前記空間部の逃げ部と前記膨出部分との間の隙間が、前記係止状態において、前記パネルの取付孔に対する前記係合脚部の係合代より大きく設定されている構成である。これは、例えば、ブリッジ部を押操作して係合脚部の係止を確実に解除可能にするためである。これに対し、請求項４では、前記ブリッジ部に設けられて前記係合脚部を縮径する方向へ前記ブリッジ部を揺動変位可能にするヒンジ部を有している構成である。これは、ブリッジ部がヒンジ部を支点として変位し易くなるため係止解除時の操作性を良好にする。
【発明の効果】
【０００９】
（ア）請求項１の発明では、クリップが係止解除用ブリッジ部の押操作により係止解除されて回収されるだけではなく、クリップ（基板）が抜け方向の外力を受けて同方向へ変位したときに、膨出部分が径大逃げ部より相対的に小さくなった中空部へ入って、係合脚部の縮径方向への変位を規制し係止解除不能にする。このため、発明クリップは、従来品に対し、固定力ないしは係止力を維持しながら、不用意な係止解除を確実に阻止でき、それにより信頼性を向上できる。
（イ）請求項２の発明では、以上の効果に加え、例えば、物品が長尺であっても弾性片部の弾性変位によりパネルに安定保持できるようにしたり、パネル取付孔に対する係合脚部のがたつきを防いで係止力を安定化して設計上の自由度を拡大できるようにする。
（ウ）請求項３の発明では係止解除を確実に行えるようにする。請求項４の発明では係止解除時の操作性を良好にできるようにする。
【発明を実施するための最良の形態】
【００１０】
本発明の最良な形態を図面の実施例を参照しながら説明する。なお、図面では、図１〜図４の第１実施例、図５の第２実施例、図６（ａ）の第３実施例、図６（ｂ）の第４実施例を示している。各実施例では、要部が同じため同一又は類似する部位に同じ符号を付している。以下の説明では、全体の概要を述べた後、各実施例により要部構成を明らかにする。
【００１１】
（概要）各実施例の易解体クリップ（以下、クリップと略称）１，４，５，６は、基板２及び係合脚部３を一体に形成しているモールド品であり、図１等に示されるようにパネル取付孔１０ａ等に対し係合脚部３を挿入係合して該パネル１０に係止され、該係止状態を係合脚部３の端部側を操作して解除可能にする。工夫点は、特に、係合脚部３が中抜き状の空間部３３及び該空間部３３の一部を径大にした逃げ部３３ａを形成していると共に、上端側が係止解除操作用のブリッジ部３５を介して基板２の対応部に連結されていること、基板２が空間部３３内へ遊挿している突起部２５及び逃げ部３３ａと対応して突起部２５に設けられている係止解除規制用の膨出部分２６を形成している。そして、係合脚部３が取付孔１０ａ等に挿入係止された状態から、ブリッジ部３５の押操作により縮径方向への揺動を伴って係止解除され、同時に、基板２が抜け方向の過大な外力を受けて変位するとき、突起部２５及び膨出部分２６も同方向へ変位し、膨出部分２６が逃げ部３３ａより空間部３３へ移行して係合脚部３の縮径方向への変位を規制することにより係止解除を不能にする。これらは各実施例で共通している。なお、クリップ材質は樹脂製であるが、樹脂以外でもよい。「パネル」は、板部材に限らずハウジング又はケース等の板部分などを含む広義な意味で使用している。用途は、第１及び第２実施例の物品保持用以外に、図６に例示したパネルを他のパネルに固定する取付用でも差し支えない。
【実施例】
【００１２】
（第１実施例）図１（ａ）〜（ｃ）はクリップ作動図であり、図２（ａ）はクリップの概略外観図、図２（ｂ）はクリップ基板側の突起部及び膨出部分を示している。図３（ａ），（ｂ）はクリップの正面図と背面図を示し、図４（ａ），（ｂ）はクリップの左側面図と図３（ａ）のＡ−Ａ線断面図である。このクリップ１において、基板２は、概略コ形の部分２０が主体となり、該コ形の一方側に連結された蓋部２３と、該コ形の他方側に設けられた係合部２１と、該コ形中間部から下向きに突設された突起部２５とを有している。係合脚部３は、概略Ｕ形状であり、下端部３０、最大径の係合部３１、上端部３２により中空部３３及びその下側の逃げ部３３ａを区画形成し、又、両側の上端部３２に接続された各ブリッジ部３５を介して基板２の対応部に連結されている。
【００１３】
基板２は厚肉に形成されて剛性が付与されている。部分２０の内側には単一又は複数の棒ないしは線状部材８（の周囲部分）が収容される。係合部２１は、部分２０の他方側に上下貫通された穴部を形成している。該穴部の上縁対応部には係止爪２１ａが設けられている。蓋部２３は、部分２０の開口に対応した大きさの平板状であり、部分２０の一方側に対しヒンジ部２２を介し連結され、又、自由端側に設けられて前記穴部に挿入される略Ｖ形の差込部２４を有している。そして、蓋部２３は、部分２０から立ち上がった図３の開位置と、ヒンジ部２２を支点として回動されて部分２０のコ形内を塞ぐ図２の閉位置とに切り換えられる。部分２０には、蓋部２３の開位置で線状部材８が出し入れされる。蓋部２３は、ヒンジ部２２を介し閉方向へ回動されると、閉位置で差込部２４の対応部が係止爪２１ａに係止（ロック）される。突起部２５は、係合脚部３の中空部３３に余裕を持って挿入される平板状である。突起部２５の下端は、先細形状２５ａとなっていると共に、膨出部分２６を有している。膨出部分２６は、突起部２５の下端側左右に略半円状としてそれぞれ設けられている。
【００１４】
係合脚部３は、左右対称形であると共に弾性変位可能な肉厚に設定されている。下端部３０は、先細形状に形成され、取付孔１０ａに挿入ガイドできるようになっている。この内側には、中空部３３より径大になった逃げ部３３ａが設けられている。逃げ部３３ａは、突起部２５の両膨出部２６との間に所定の隙間を保つ内径に設定されている。両側の係合部３１は、下端部３０と共に取付孔１０ａに弾性変位されながら挿入されたときに該取付孔１０ａの下孔縁に係止される。両側の上端部３２は、略平行に延びていて、逃げ部３３ａに通じる中空部３３を形成している。中空部３３の隙間は、両膨出部分２６の間の寸法と略同じに設定されている。このため、この構造では、図１（ｃ）のように膨出部分２６が逃げ部３３ａから中空部３３へ入ると、係合部３１が縮径方向への変位を規制されて係止状態を維持可能にする。
【００１５】
ブリッジ部３５は、両側の上端部３２にそれぞれ連結されている対の水平部３６と、各水平部３６から略垂直に突出して基板２の両側にヒンジ部３９を介して連結されている起立部３７とを有している。各水平部３６は、図３に示されるように基板２の中間部に対し所定の間隔を保って横に長く延びていると共に、上端部３２に接近した箇所より弾性片部３８を下斜めに突設している。各弾性片部３８は、下に行くほど係合脚部３から離れるよう傾斜しており、最下端が図１のように係合部３１との間にパネル１０を挟み込むよう設定されている。各起立部３７のうち、下側は基板２の部分２０及び水平部３６より板幅寸法が大きく、外面より押圧操作し易く形成されている。上側は上に行くほど板幅寸法を小さくし、薄肉状のヒンジ部３９を介して、部分２０の対応部外面に突設された横突出部２０ａに連結されている。このため、ブリッジ部３５は、各起立部３７が図１（ａ）の矢印方向へ押圧されると、ヒンジ部３９を支点として水平部３６及び係合脚部３を上側へ弾性的に変位して、両係合部３２の間の寸法を縮径可能となっている。
【００１６】
次に、以上のクリップ１の用途例を図１により概説する。この例は、線状部材８をパネル１０に沿って支持する場合を想定しており、通常、パネル１０に複数のクリップ１が取り付けられ、線状部材８がそれら複数のクリップ１に対し支持される。図１（ａ）は、クリップ１をパネル１０に取り付ける場合と、取付後にクリップ１を回収する場合を示している。クリップ１は、パネル取付孔１０ａに対し下端部３０を差し込んだ状態から押圧操作されると、係合脚部３が両係合部３２の間の寸法を縮径変位しながら取付孔１０ａを通過し、該通過と同時に初期形状に復元して図１（ｂ）の係止状態となる。つまり、クリップ１は、両側の弾性片部３８がパネル１０上に圧接しており、取付孔１０ａの孔下縁に圧接係合されている係合部３１と弾性片部３８の下端との間にパネル１０を挟み込んだ状態で係止されている。
【００１７】
クリップ１をパネル１０から外して回収する場合、つまり係止状態を解除するときは、両ブリッジ部３５の起立部３７を図１（ａ）の矢印方向へ押圧操作する。すると、クリップ１は、ブリッジ部３５がヒンジ部３９を支点として水平部３６及び係合脚部３を上側へ弾性的に変位しながら、両係合部３２の間の寸法を縮径するため、取付孔１０ａから簡単に引く抜くことができる。この構造では、係合脚部３の内側つまり空間部３３の径大逃げ部３３ａと、突起部２５の膨出部分２６との間の隙間が、前記係止状態において、パネル取付孔１０ａに対する係合部３１の係合代より大きく設定されており、係合脚部３が突起部２５および膨出部分２６の存在で係止解除時の縮径が規制されないようにしている。また、この構造では、起立部３７の板幅を水平部３６や部分２０より大きく設定して係止解除時の押し操作をスムースに行えるようにしたり、係合脚部３が弾性片部３８の存在により真上へ変形し易くして係止解除時の操作性を良好にしている。
【００１８】
図１（ｃ）はクリップ１が線状部材８を保持している態様で、該線状部材８等を介し抜け方向の外力を受けたときの状態を示している。クリップ１は、矢印方向の外力が大きくなると、基板２がヒンジ部３９を介しパネル１０から離れる方向へ弾性変形され、該基板２の変形に伴って突起部２５及び膨出部分２６も同方向へ持ち上げられるよう変位する。膨出部分２６は、その変位により径大逃げ部３３ａから相対的に狭くなっている空間部３３に入る。このため、係合脚部３のうち、最大径の係合部３１は、縮径方向の変位が膨出部分２６により規制されて、係止解除不能状態となる。この構造では、抜け方向の外力が大きくなる程、膨出部分２６が空間部３３を上へ移行し、膨出部分２６の規制力が増大されて、クリップ１の不用意な外れを確実に阻止可能にする。
【００１９】
（第２実施例）図５（ａ）は図２（ａ）に対応したクリップの概略外観図、図５（ｂ）は図１（ｂ）に対応したクリップの使用状態を示す図である。このクリップ４は、上記クリップ１のうち、基板２の棒又は線状部材用保持構造を変形した一例である。この構造では、基板２が略コ形に形成されている点で第１実施例のものと同じであるが、コ形の両片部２７が長く設定され、該両片部２７の内側に上下２段でそれぞれ対向して設けられた挟持片２８，２９を有している。上段の挟持片２８同士は比較的急勾配で斜め下向きに延設され、下段の挟持片２９同士は先端側だけが円弧状に形成されている。そして、線状部材９は、挟持片２８を下向きに弾性変位しながら、挟持片２８同士の間から押し込められると、図５（ｂ）のように下段の挟持片２９と上段の挟持片２８との間に弾性支持される。したがって、このクリップ４では、棒又は線状部材９を保持する場合に上記したクリップ１のように蓋開閉操作を必要とせずワンタッチで支持操作できる利点がある。これ以外は第１実施例と同じため説明を省く。
【００２０】
（第３実施例）図６（ａ）のクリップ５は、図７と同様に下パネル１１に対し上パネル１２を密着した状態で固定する構造例を示している。すなわち、このクリップ５は、上記クリップ１のうち、基板２が単純な平板状に形成されており、上パネル１２を下パネル１１に重合ようなときに用いられて、上下パネル１２，１１の各取付孔１２ａ，１１ａに対し係合脚部３を挿入係合すると、係合部３１と弾性片部３８との間に両パネル１１，１２を挟み込んだ状態で係止する。該係止状態は、上記クリップ１と同様に、両ブリッジ部３５が近づく方向へ押されると、ヒンジ部３９を支点として水平部３６及び係合脚部３が上側へ弾性変位し、両係合部３２の間の寸法を縮径するため、各取付孔１１ａ，１２ａから簡単に引く抜くことができる。これ以外は第１実施例と同じため説明を省く。
【００２１】
（第４実施例）図６（ｂ）のクリップ６は、図８と同様に下パネル１３に対し上パネル１４を所定間隔を保って固定する構造例を示している。すなわち、このクリップ６は、前記クリップ５に対し、基板２が上下に膨出部２６付きの突起部２５を有し、又、係合脚部３も基板２の上下にそれぞれ設けられている。上下に位置する突起部２５とそれに対応する係合脚部３との関係自体は実施例１と同様である。以上のクリップ６は、上パネル１４を下パネル１３に間隔を保って取り付ける場合、例えば、まず、下パネル１３の取付孔１３ａに対し下側の係合脚部３を挿入係合することで、下側係合脚部３の係合部３１と対応する弾性片部３８との間に下パネル１３を挟み込んだ状態で係止される。その後、上パネル１４がその取付孔１４ａに上側の係合脚部３を構成している上端部３０を挿入してパネル１３側へ押圧されると、上側係合脚部３の係合部３１と対応する弾性片部３８との間に上パネル１４を挟み込んだ状態で係止される。この構造では、クリップ６の各ブリッジ部３５を直接又は工具を使用して押圧操作することにより、下パネル１３と上パネル１４とに対する各係止状態を共に簡単に係止解除できる。これ以外は第１実施例と同じため説明を省く。
【００２２】
以上説明したように、本発明は要部を除いて種々変形したり展開可能であり、その場合にも係止解除操作を簡単に行えると共に、不用意な係止解除を確実に阻止できる。このため、発明クリップは、単一部材という簡易性を維持して、パネル側への固定力を増大できるだけではなく、解体等の回収作業において確実に取付孔から外して回収できる。
【図面の簡単な説明】
【００２３】
【図１】発明実施例のクリップ作動を示す模式図である。
【図２】上記クリップ外観を示す概略斜視図である。
【図３】上記クリップの正面及び背面を示す図である。
【図４】上記クリップの側面及び要部断面を示す図である。
【図５】上記クリップの他の例を図２と図１（ｂ）に対応して示す図である。
【図６】上記クリップの更に他の２例を図１（ｂ）に対応して示す図である。
【図７】易解体タイプの従来クリップを示す図である。
【図８】易解体タイプの他の従来クリップを示す図である。
【符号の説明】
【００２４】
１，４，５，６…クリップ（易解体クリップ）
２…基板（２２はヒンジ部、２５は突起部、２６は膨出部分）
３…係合脚部（３０は下端部、３１は係合部、３２は上端部）
８，９…棒又は線状部材
１０〜１４…パネル（１０ａ〜１４ａは取付孔）
２０…基板の部分（保持部に相当し、２３は蓋部、２８，２９は挟持片）
３３…係合脚部の中空部（３３ａは逃げ部）
３５…ブリッジ部（３６は水平部、３７は起立部、３８は弾性片部）
３９…ヒンジ部
【図１】
2005083425.tif 000003
【図２】
2005083425.tif 000004
【図３】
2005083425.tif 000005
【図４】
2005083425.tif 000006
【図５】
2005083425.tif 000007
【図６】
2005083425.tif 000008
【図７】
2005083425.tif 000009
【図８】
2005083425.tif 000010